(57)【特許請求の範囲】
【請求項１】
再生音源の再生回路と、前記再生回路からの出力に対して音響効果を付与する音響効果付加回路と、オーディオ出力をミューティングするオーディオミューティングブロックと、前記音響効果付加回路による音響効果付加機能を制御する制御部を備えるオーディオ信号再生装置において、
前記制御部が、（イ）曲の停止又は別の曲への移行の何れかのキー入力がなされた場合に、前記オーディオミューティングブロックを制御してオーディオ出力をミューティングするとともに再生動作を停止させ、新たな曲の再生開始指示時点で前記音響効果付加回路を初期化して新たに設定された音響効果を付加するとともに前記オーディオミューティングブロックによるミューティングを解除し、（ロ）前記キー入力でなく曲の再生が終了した場合に、再生動作を停止させるとともに前記音響効果付加回路への音響効果付加制御を予め設定した時間迄又は前記音響効果付加回路の音響効果付加の終了を検出する迄継続させ、その後、前記オーディオミューティングブロックによりオーディオ出力をミューティングさせ、（ハ）前記キー入力でなく曲の再生が終了後に次の曲を再生開始する場合に、前の曲における前記音響効果付加回路への音響効果付加制御が終了してから次の曲の再生開始指示時点で、前記音響効果付加回路を初期化して新たに設定された音響効果を付加するようにするとともに前記オーディオミューティングブロックによるミューティングを解除し、その後次の曲の再生動作を開始させるように、前記再生回路の再生制御と連動して前記音響効果付加回路の開始及び終了の制御とオーディオミューティングブロックのミューティングの制御を行う手段を備えることを特徴とするオーディオ信号再生装置。
【発明の詳細な説明】
【０００１】
【発明の属する技術分野】
本発明は、オーディオ機器の技術分野に関し、特にデジタル音源の再生時における音響効果付加制御機能を備えるオーディオ信号再生装置に関する。
【０００２】
【従来の技術】
ＣＤ、ＨＤＤ、ＭＤ、ＤＶＤ等に記録された音源を再生するオーディオ信号再生装置（以下、単に装置とも称する。）で、ホールでの響きをシュミレートして再現してやるなどの音響効果を付加する機能が組み込まれたものがある。
【０００３】
このような装置では、従来より音響効果の機能種別の選択や再生側ソースの切り替え時に、音響効果付加回路（古くはリバーブ回路と称されるものであり、最近のデジタル音源ではＤＳＰ（デジタルシグナルプロセッサ）が一般に用いられている。）の音響効果の演算処理を初期化したり、ミューティングを行うなどの制御を行っていたが、再生の制御と音響効果の制御は独立して行われていて、再生回路側の動作に連動した動きは行なわれていなかった。即ち、図４のように、ＣＤ等の再生音源の再生回路１とオーディオ出力ＯＵＴ直前のオーディオミューティングブロック３を制御する再生制御部４と音響効果付加回路２を制御する音響効果制御部５は互いに独立して再生制御と音響効果制御を行っていた。なお、上記再生制御部４と音響効果制御部５が一体となっている装置もあるが、その場合でも互いに独立した制御となっており、互いに連動していないのである。
【０００４】
【発明が解決しようとする課題】
そのため、例えば再生音源がＣＤであった場合に、連続して曲を再生して行くと、音響効果付加回路２で残響を長い時間付加するような音響付加処理をした場合に、新たな曲の再生開始時に前の曲の曲尾で発生した残響効果が残ったまま再生がなされることになって再生品位として好ましくなく不都合であった。
【０００５】
また逆に、単に曲の再生終了時にオーディオ出力をミューティング処理してしまったり音響効果の付加を打ち切ってしまうなどすると、曲尾での音響効果による残響から醸し出される余韻がなくなってしまうなどの不都合がある。
【０００６】
上記不都合は、操作者がキー入力で強制的に再生を終了させたり、別の曲へ移行させたりする場合と、キー入力によらない曲の再生の終了の場合とでは再生制御及び音響効果付加制御の置かれる状況が異なるので、それぞれ状況に応じて連動した制御によって解消されることが望まれる。
【０００７】
本発明は上記事情に鑑みてなされたものであり、再生側の制御に連動した音響効果付加の制御とミューティングの制御を制御部で行う構成のオーディオ信号再生装置を提供するものである。
【０００８】
【課題を解決するための手段】
本発明は、再生音源の再生回路１と、前記再生回路１からの出力に対して音響効果を付与する音響効果付加回路２と、オーディオ出力をミューティングするオーディオミューティングブロック３と、前記音響効果付加回路２による音響効果付加機能を制御する制御部７を備えるオーディオ信号再生装置２０において、
前記制御部７が、（イ）曲の停止又は別の曲への移行の何れかのキー入力Ｓがなされた場合に、前記オーディオミューティングブロック３を制御してオーディオ出力ＯＵＴをミューティングするとともに再生動作を停止させ、新たな曲の再生開始指示時点で前記音響効果付加回路２を初期化して新たに設定された音響効果を付加するとともに前記オーディオミューティングブロック３によるミューティングを解除し、（ロ）前記キー入力Ｓでなく曲の再生が終了した場合に、再生動作を停止させるとともに前記音響効果付加回路２への音響効果付加制御を予め設定した時間迄又は前記音響効果付加回路２の音響効果付加の終了を検出する迄継続させ、その後、前記オーディオミューティングブロック３によりオーディオ出力ＯＵＴをミューティングさせ、（ハ）前記キー入力Ｓでなく曲の再生が終了後に次の曲を再生開始する場合に、前の曲における前記音響効果付加回路２への音響効果付加制御が終了してから次の曲の再生開始指示時点で、前記音響効果付加回路２を初期化して新たに設定された音響効果を付加するようにするとともに前記オーディオミューティングブロック３によるミューティングを解除し、その後次の曲の再生動作を開始させるように、前記再生回路１の再生制御と連動して前記音響効果付加回路２の開始及び終了の制御とオーディオミューティングブロック３のミューティングの制御を行う手段を備えることを特徴とするオーディオ信号再生装置２０を提供することにより、上記課題を達成する。
【０００９】
【発明の実施の形態】
本発明に係るオーディオ信号再生装置の実施の形態について図面に基づいて説明する。図１は本発明に係るオーディオ信号再生装置のブロック回路図である。図２は再生停止と再生再開のキー入力が順次なされた場合の再生制御と音響効果付加制御のフローチャートである。図３はキー入力でなく曲尾まで再生が終了した場合と再生終了に続けて次の曲を再生する場合の再生制御と音響効果付加制御のフローチャートである。
【００１０】
本発明の音響効果付加回路による音響効果付加機能を制御する制御部を備えるオーディオ信号再生装置２０は、図１に示されるように、ＣＤやＨＤＤ等の再生音源の再生回路ブロック１とオーディオ出力ＯＵＴ直前のオーディオミューティングブロック３及びＤＳＰで構成される音響効果付加回路２に対してそれぞれ再生制御と音響効果制御を連動して行うマイクロコンピュータで構成される制御部７が備えられている構成である。
【００１１】
そして、上記制御部７には、以下の（イ）、（ロ）、（ハ）の処理手順をコンピュータに実行させるためのプログラムが予め前記マイクロコンピュータのＲＯＭ又は外部不揮発性メモリに記録されている。
【００１２】
（イ）図２に示されるように、操作者によって曲の停止又は別の曲への移行の何れかのキー入力Ｓがなされた場合に、操作者にとっては音響効果の残響等も直ちに打ち切った方が良いので、操作者の停止（一時停止を含む）操作を検知すると、直ちにオーディオ出力ＯＵＴをミューティングし、再生を停止（一時停止）する制御を行い、次に、操作者による再生再開の操作を検出すると、音響効果付加回路２を初期化して前の再生で発生した音響効果の残りを消去し、新たに設定された音響効果を付加し、オーディオ出力ＯＵＴのミューティングを解除し、再生を開始することで新たな音響効果が付加された再生音が出力される処理。
【００１３】
（ロ）図３に示されるように、操作者によるキー入力Ｓでなく曲の再生が曲尾まで終了した場合に、操作者に音響効果付加による曲の余韻を聞かせることが好ましいため、ミューティングや音響効果の打ち切りは行わないように再生動作のみ停止させることで音響効果で付加される残響等の余韻が出力され、この音響効果付加制御を予め設定した時間迄（例えば再生終了後２秒間）又は前記音響効果付加回路２のＤＳＰの音響効果付加の演算終了を検出する迄継続させる処理。
【００１４】
（ハ）図３に示されるように、キー入力Ｓでなく曲の再生が終了後に次の曲を再生開始する場合に、前の曲の音響効果付加制御が終了してから次の曲の再生を開始するとともに再生開始点で前記音響効果付加回路２を初期化して新たに設定された音響効果を付加し、ミューティングを解除して次の曲の再生を開始する処理。
【００１５】
以上の処理の如く、制御部７によって再生回路１の再生制御と連動して前記音響効果付加回路２の開始及び終了の制御とオーディオミューティングブロック３のミューティングの制御が行われることで、オーディオ信号再生装置２０は再生状況に応じた音響効果の付加がなされ、操作者（リスナー）にとって快適なオーディオ再生が実現するのである。
【００１６】
【発明の効果】
本発明に係るオーディオ信号再生装置は、上記のように構成されているため、
（１）  操作者にとって、好ましい音響効果の付加の開始・終了タイミングが、操作者が再生装置の再生開始や停止等を操作するだけで提供されるという優れた効果を有する。
（２）次の曲の再生開始点で、前の曲の音響効果が残らない。
（３）再生終了時の曲尾の音響効果が損なわれない。
【図面の簡単な説明】
【図１】本発明に係るオーディオ信号再生装置のブロック回路図である。
【図２】再生停止と再生再開のキー入力が順次なされた場合の再生制御と音響効果付加制御のフローチャートである。
【図３】キー入力でなく曲尾まで再生が終了した場合と再生終了に続けて次の曲を再生する場合の再生制御と音響効果付加制御のフローチャートである。
【図４】従来の音響効果付加回路による音響効果付加機能を制御する制御部を備えるオーディオ信号再生装置のブロック回路図である。
【符号の説明】
１      再生回路
２      音響効果付加回路
３      オーディオミューティングブロック
４      再生制御部
５      音響効果制御部
７      制御部
１０、２０      オーディオ信号再生装置
Ｓ      キー入力
ＯＵＴ      オーディオ出力
【図１】
0004003050.tif 000002
【図２】
0004003050.tif 000003
【図３】
0004003050.tif 000004
【図４】
0004003050.tif 000005